(57)【特許請求の範囲】
【請求項１】
係止体と、該係止体の係止部を挿入・係止させて施錠を行う錠本体とを備えた施錠装置において、
上記錠本体には、
係止突部を有し、上記錠本体内部に軸支され、回動角度が規制された軸部材と、
上記係止突部が上記係止部の挿入方向に対してほぼ直交する方向に突出する係止角度位置に向けて、上記軸部材を軸回りに付勢する付勢部材と、
鍵による開錠操作に応じて、上記係止突部がほぼ上記挿入方向に突出する解錠角度位置に向けて、上記軸部材を上記付勢部材の付勢力に抗して軸回りに回転させる開錠機構と、
を設けるとともに、
上記係止部には、上記解錠角度位置にある上記軸部材を挿入可能な入口溝と、該入口溝に連通し、内部で上記軸部材が回転可能な係止孔と、
を設けることにより、
施錠時には、上記錠本体に上記係止部を挿入し、上記入口溝の縁部にて上記軸部材の係止突部を押圧することにより、該軸部材を上記解錠角度位置に回転させて上記入口溝に挿入し、更に、上記付勢部材の付勢力によって、上記係止孔内に達した上記軸部材を上記係止角度位置に回転復帰させ、上記係止孔の内面に上記係止突部を当接・係止させて施錠を可能としたことを特徴とする施錠装置。
【請求項２】
係止体と、該係止体の係止部を挿入・係止させて施錠を行う錠本体とを備えた施錠装置において、
上記錠本体には、
係止突部を有し、上記錠本体内部に軸支され、回動角度が規制された軸部材と、
上記係止突部が上記係止部の挿入方向に対してほぼ直交する方向に突出する係止角度位置に向けて、上記軸部材を軸回りに付勢する付勢部材と、
鍵による開錠操作に応じて、上記係止突部がほぼ上記挿入方向または該挿入方向とは逆方向に突出する解錠角度位置に向けて、上記軸部材を上記付勢部材の付勢力に抗して軸回りに回転させる開錠機構と、
上記係止部の挿入方向に沿って移動可能に設けられ、上記係止部によって押圧される押圧部および上記軸部材に係止して該軸部材を解錠角度位置に保持する係止保持部を備えた移動係止部材と、
上記移動係止部材を上記係止部の挿入方向とは逆方向に付勢して、該移動係止部材の係止保持部を上記軸部材に係止させる第２の付勢部材と、
を設けるとともに、
上記係止部には、上記解錠角度位置にある上記軸部材を挿入可能な入口溝と、該入口溝に連通し、内部で上記軸部材が回転可能な係止孔と、
を設けることにより、
施錠時には、上記錠本体に上記係止部を挿入して、上記移動係止部材によって上記解錠角度位置に保持されている上記軸部材を上記入口溝に挿入し、更に、上記係止部によって上記移動係止部材の押圧部を押圧移動させて、上記係止保持部と上記軸部材との係止を解除し、上記付勢部材の付勢力によって上記軸部材を上記係止角度位置に回転させて、上記係止孔の内面に上記係止突部を当接・係止させて施錠を可能としたことを特徴とする施錠装置。
【請求項３】
上記係止体が略Ｕ字状の係止ロッドであり、該係止ロッドの両端に上記係止部を設けたことを特徴とする請求項１または２に記載の施錠装置。
【請求項４】
上記係止体の係止部の近傍には、該係止部を上記錠本体に係止した場合に、上記錠本体に当接し、上記係止部を上記挿入方向とは逆方向に付勢する付勢部材を設けたことを特徴とする請求項１ないし３のいずれかに記載の施錠装置。
【発明の詳細な説明】
【０００１】
【産業上の利用分野】
本発明は、例えば自転車やオートバイ等の盗難を防止するために用いられる施錠装置に関する。
【０００２】
【従来の技術】
従来より、自転車やオートバイ等の二輪車の盗難を防止するために、係止ロッドやワイヤー等の係止体を錠本体に接続してループ体を形成する施錠装置（シャックル錠やワイヤー錠等）が用いられている。これらの施錠装置は、錠本体に設けられた挿入孔に、係止体の係止部を挿入・係止して施錠を行うものであり、例えば、本願出願人が出願した特開平５−１２５６７号公報のシャックル錠においては、図２６（ａ）および（ｂ）に示すように、シリンダ錠本体Ｐ３に設けられる挿入孔Ｐ５に、Ｕ字状の係止ロッドの端部Ｐ７に設けられた係止部Ｐ９を挿入し、係止部Ｐ９の係止孔Ｐ１１に棒材Ｐ１３を嵌め入れた後に、図示しない鍵の操作によって棒材Ｐ１３を９０゜回転させ、棒材Ｐ１３を係止部Ｐ９に係止させて施錠を行っている。
【０００３】
【発明が解決しようとする課題】
しかしながら、上記従来の施錠装置においては、施錠の際に鍵の操作が必要であり、ワンタッチで迅速簡便に施錠を行うことができないという問題があった。つまり、例えば図２６にて説明したシャックル錠の場合は、施錠を行う際に、鍵をシリンダ錠本体Ｐ３に差し込んで回し、棒材Ｐ１３を回転させる必要があるので、施錠操作が煩雑になるという問題があった。また、シリンダ錠本体Ｐ３と鍵を別々に持ち運んでいる場合には、施錠の際に鍵をわざわざ取り出さなければならず、しかも、鍵を持っていなければ施錠ができないという問題があった。
【０００４】
本発明は、前記課題を解決するためになされ、施錠の際に鍵が不要であり、ワンタッチで迅速簡便に施錠を行うことのできる施錠装置を提供することを目的とする。
【０００５】
【課題を解決するための手段】
上記目的を達成するための請求項１の発明は、
係止体と、該係止体の係止部を挿入・係止させて施錠を行う錠本体とを備えた施錠装置において、
上記錠本体には、
係止突部を有し、上記錠本体内部に軸支され、回動角度が規制された軸部材と、
上記係止突部が上記係止部の挿入方向に対してほぼ直交する方向に突出する係止角度位置に向けて、上記軸部材を軸回りに付勢する付勢部材と、
鍵による開錠操作に応じて、上記係止突部がほぼ上記挿入方向に突出する解錠角度位置に向けて、上記軸部材を上記付勢部材の付勢力に抗して軸回りに回転させる開錠機構と、
を設けるとともに、
上記係止部には、上記解錠角度位置にある上記軸部材を挿入可能な入口溝と、該入口溝に連通し、内部で上記軸部材が回転可能な係止孔と、
を設けることにより、
施錠時には、上記錠本体に上記係止部を挿入し、上記入口溝の縁部にて上記軸部材の係止突部を押圧することにより、該軸部材を上記解錠角度位置に回転させて上記入口溝に挿入し、更に、上記付勢部材の付勢力によって、上記係止孔内に達した上記軸部材を上記係止角度位置に回転復帰させ、上記係止孔の内面に上記係止突部を当接・係止させて施錠を可能としたことを特徴とする。
【０００６】
また、請求項２の発明は、
係止体と、該係止体の係止部を挿入・係止させて施錠を行う錠本体とを備えた施錠装置において、
上記錠本体には、
係止突部を有し、上記錠本体内部に軸支され、回動角度が規制された軸部材と、
上記係止突部が上記係止部の挿入方向に対してほぼ直交する方向に突出する係止角度位置に向けて、上記軸部材を軸回りに付勢する付勢部材と、
鍵による開錠操作に応じて、上記係止突部がほぼ上記挿入方向または該挿入方向とは逆方向に突出する解錠角度位置に向けて、上記軸部材を上記付勢部材の付勢力に抗して軸回りに回転させる開錠機構と、
上記係止部の挿入方向に沿って移動可能に設けられ、上記係止部によって押圧される押圧部および上記軸部材に係止して該軸部材を解錠角度位置に保持する係止保持部を備えた移動係止部材と、
上記移動係止部材を上記係止部の挿入方向とは逆方向に付勢して、該移動係止部材の係止保持部を上記軸部材に係止させる第２の付勢部材と、
を設けるとともに、
上記係止部には、上記解錠角度位置にある上記軸部材を挿入可能な入口溝と、該入口溝に連通し、内部で上記軸部材が回転可能な係止孔と、
を設けることにより、
施錠時には、上記錠本体に上記係止部を挿入して、上記移動係止部材によって上記解錠角度位置に保持されている上記軸部材を上記入口溝に挿入し、更に、上記係止部によって上記移動係止部材の押圧部を押圧移動させて、上記係止保持部と上記軸部材との係止を解除し、上記付勢部材の付勢力によって上記軸部材を上記係止角度位置に回転させて、上記係止孔の内面に上記係止突部を当接・係止させて施錠を可能としたことを特徴とする。
【０００７】
また、請求項３の発明は、請求項１または２に記載の施錠装置において、上記係止体が略Ｕ字状の係止ロッドであり、該係止ロッドの両端に上記係止部を設けたことを特徴とする。
更に、請求項４の発明は、請求項１ないし３のいずれかに記載の施錠装置において、上記係止体の係止部の近傍には、該係止部を上記錠本体に係止した場合に、上記錠本体に当接し、上記係止部を上記挿入方向とは逆方向に付勢する付勢部材を設けたことを特徴とする。
【０００８】
【作用】
上記構成を有する請求項１の施錠装置においては、施錠時には、錠本体の挿入孔に係止体の係止部を挿入することによって施錠を行う。つまり、係止体の挿入動作にともない、係止角度位置（即ち係止突部が係止部の挿入方向に対してほぼ直交する方向に突出する位置）にある軸部材の係止突部を、入口溝の縁部によって押圧する。これにより、軸部材を、解錠角度位置（即ち係止突部がほぼ係止突部の挿入方向に突出する角度位置）に向けて軸回りに回転させて、軸部材を係止部の入口溝に挿入する。そして、更に、係止部の係止孔内に達した軸部材を、付勢部材の付勢力によって係止角度位置に回転復帰させ、係止孔の内面に係止突部を当接・係止させて施錠を行う。よって、係止体の係止部を錠本体の挿入孔に挿入するだけで施錠を行うことができ、鍵を用いることなくワンタッチで施錠を行うことができる。
【０００９】
また、上記構成を有する請求項２の施錠装置においても、上記請求項１の場合と同様に、錠本体の挿入孔に係止体の係止部を挿入することによって施錠を行う。つまり、係止体の挿入動作にともない、移動係止部材によって解錠角度位置（係止突部がほぼ係止部の挿入方向またはこの挿入方向とは逆方向に突出する位置）に保持されている軸部材を、係止部の入口溝に挿入する。そして、更に係止部を挿入することにより、係止部によって移動係止部材の押圧部を押圧移動させて、係止保持部と軸部材との係止を解除する。すると、係止部の係止孔内に達した軸部材が、付勢部材の付勢力によって係止角度位置（即ち係止突部が係止部の挿入方向に対してほぼ直交する方向に突出する位置）に回転させられることとなるので、係止孔の内面に係止突部を当接・係止させて施錠を行うことができる。よって、請求項２の発明においても、係止体の係止部を錠本体の挿入孔に挿入するだけで施錠を行うことができ、鍵を用いることなくワンタッチで施錠を行うことができる。
【００１０】
また、特に請求項２の発明においては、移動係止部材および第２の付勢部材を設けているので、軸部材が係止部に係止されている施錠状態において、係止部が移動係止部材および第２の付勢部材によって、錠本体から外れる方向に付勢されることとなる。よって、軸部材を係止解除位置に回転移動させて解錠を行った場合、係止部ひいては係止ロッドが錠本体から外れる方向に付勢されて飛び出すので、解錠操作を容易に行うことができる。
【００１１】
更に、請求項２の発明では、施錠状態において、移動係止部材および第２の付勢部材によって係止部が付勢されるので、係止部が軸部材に対して押し付けられることとなる。従って、錠本体に挿入されている係止ロッドががたつくことがない。
【００１２】
また、請求項３の発明においては、係止体が略Ｕ字状の係止ロッドであり、この係止ロッドの両端に係止部を設けている。よって、この２つの係止部を錠本体に係止させてループ体を形成することにより、施錠を行うことが可能となる。つまり、例えば二輪車の施錠を行う場合は、略Ｕ字状の係止ロッドを二輪車のスポークの間に挿通し、係止部を錠本体に挿入すれば、二輪車の車輪を施錠することができる。
【００１３】
また、請求項４の発明においては、係止体の係止部を上記錠本体に係止した場合に、係止体の係止部の近傍に設けられた付勢部材が錠本体に当接して、係止部を、錠本体への挿入方向とは逆方向に付勢する。よって、軸部材を係止解除位置に回転移動させて解錠を行った場合、係止体が錠本体から外れる方向に付勢されて飛び出すので、解錠を容易に行うことができる。
【００１４】
【実施例】
以下、本発明の実施例を図面に基づいて説明する。
まず、本発明の第１実施例について説明する。ここで、図１は第１実施例のシャックル錠Ｓを示す斜視図である。また、図２は係止ロッド１を表し、（ａ）はその正面図、（ｂ）はその右側面図、（ｃ）はその平面図である。図３は施錠状態におけるシャックル錠Ｓの縦断面図（図１におけるＡ−Ａ断面図）であり、図４は、解錠状態におけるシャックル錠Ｓの縦断面図である。また、図５は、図３におけるＢ−Ｂ断面図である。
【００１５】
図１に示すように、シャックル錠１は、Ｕ字形の係止ロッド（係止体）１と、係止ロッド１の両端の係止部１ｃ，１ｃ（図２参照）を挿入・係止させて施錠を行う円柱状の錠本体３とを備えている。
錠本体３は、図３および図４に示すように、金属製の円筒部１１の周囲が硬質合成樹脂製のケース１３にて覆われており、この円筒部１１およびケース１３の上部には、係止ロッド１の係止部１ｃ，１ｃが挿入される円形の挿入孔１５，１５が設けられ、ケース１３の右側端部には、鍵１７（図１参照）を受け入れるための円形の開口部１８が設けられている。
【００１６】
そして、円筒部１１の内部には、係止突部１９ａ（図４参照）を有する金属製の軸部材１９と、円筒部１１の一方の端部（右端部）１１ａに設けられて解錠操作を司るシリンダ部２１と、このシリンダ部２１によって回転される回転部材２３と、係止ロッド１の一方の係止部１ｃが挿入される被挿入部材２５と、軸部材１９を軸回りに付勢するうず巻ばね２７（１点鎖線で示す）と、円筒部１１の他方の端部（左端部）１１ｂに設けられ、係止ロッド１の他方の係止部１ｃが挿入される被挿入部材２９とが設けられている。
【００１７】
ここで、軸部材１９は、図６の斜視図および図７のＣ−Ｃ断面図に示すように、細長い円柱体１９´の側面に、その両端部１９ｂ，１９ｃの部分を除いて、四角柱状の係止突部１９ａを突設したものである。即ち、両端部１９ｂ，１９ｃは円柱状であり、図３に示すように、この両端部１９ｂ，１９ｃが、各々後述する回転部材２３および被挿入部材２９に対して回動可能に嵌合される。これにより、軸部材１９は、錠本体３の内部に軸支され、図６および図７に示す仮想の中心軸Ｐ（円柱状の両端部１９ｂ，１９ｃの中心を通る仮想軸）を中心として回動可能となっている。
【００１８】
次に、解錠操作を司るシリンダ部２１について説明する。ここで、図８は、錠本体３のシリンダ部２１等を示す拡大縦断面図であり、図９は錠本体３の右側面図である。
シリンダ部２１は、特開平５−１２５６７号公報等に開示されるものであり、円筒形のロータケース３１（円筒部１１に図示しないピン等で固定されている）の内部に第１ロータ３３が固定され、その内側に第２ロータ３５が回転可能に嵌め入れられたものである。第２ロータ３５の回転部材２３側の端部には、回転部材２３の溝２３ａに係止する断面長方形の突起３５ａが形成されるとともに、その反対側（鍵１７が挿入される側）の端部には、鍵１７の円筒部１７ａの内側突起１７ｂに嵌合する溝部３５ｂが設けられている。また、ロータケース３１の鍵１７が挿入される側の端部には、鍵１７の円筒部１７ａの外側突起１７ｃが通過可能な形状の切欠３１ａが形成されている。
【００１９】
そして、第２ロータ３５には穴３５ｄが穿設されており、この穴３５ｄには第２ピン４１が移動可能に挿通されている。この第２ピン４１は、図９に示すように、円状に合計７個設けられている。また、図８に示すように、第１ロータ３３には、第２ピン４１に対向する位置に穴３３ａが設けられ、その中に第１ピン４３が挿通されている。この第１ピン４３は、ばね４５によって第２ロータ３５に向けて付勢されており、図８（ａ）の状態においては、計７本の第１ピン４３が対応する第２ロータ３５の穴３５ｄに嵌入するので、第２ロータ３５は回転不能となる。一方、解錠する場合は、図８（ｂ）に示すように、鍵１７の円筒部１７ａを鍵穴４６に挿入すると、第２ピン４１が円筒部１７ａの先端によって押し出され、第１ピン４３と第２ピン４１との当り面が、第１ロータ３３と第２ロータ３５の当り面に一致する。よって、第２ロータ３５は回転可能な状態となるので、鍵１７を回せば、第２ロータ３５の溝部３５ｂと鍵１７の円筒部１７ａの内側突起１７ｂとが係止しているので、鍵１７とともに第２ロータ３５が回転する。
【００２０】
次に、回転部材２３は、図８に示すように、上述のシリンダ部２１に隣接して設けられ、シリンダ部２１の第２ロータ３５と一体となって回転される部材である。この回転部材２３は、図１０（図１０（ａ）は回転部材２３を示す斜視図であり、（ｂ）は同左側面図であり、（ｃ）は同Ｆ−Ｆ断面図である）に示すように、略円柱（短柱）状の部材であり、その右側の端面（シリンダ部２１に対向する端面）には、シリンダ部２１の第２ロータ３５の突起３５ａに嵌合する断面コの字状の溝２３ａが設けられている。これにより、回転部材２３は、第２ロータ３５と一体となって回転することができる。
【００２１】
また、回転部材２３の左側の端面２３ｂの中央には、軸部材１９の係止突部１９ａの端部１９ｄ（図６参照）が嵌入される規制孔２３ｅが形成され、この規制孔２３ｅの奥には、軸部材１９の端部１９ｂが回動自在に嵌合される軸支孔２３ｄが形成されている。ここで、規制孔２３ｅは、略扇型に形成されており、軸部材１９の回動角度（中心軸Ｐを中心とする回動の角度）を規制するものである。即ち、図１１（図８におけるＤ−Ｄ断面図）に示すように、規制孔２３ｅの内周面は、互いに直交する平坦な規制面Ｆ１，Ｆ２と、軸部材１９が回動可能となるように円弧状に形成された曲面Ｆ３とからなる。よって、軸部材１９の回動角度は、図１１（ａ）示すような「係止角度位置」と、図１１（ｂ）に示すような「解錠角度位置」との間で約９０゜回動可能となっている。ここで、図１１（ａ）の「係止角度位置」とは、係止突部１９ａが、係止部１ｃを錠本体３に挿入する方向（矢印Ａ方向）に対してほぼ直交する方向に突出する位置であり、軸部材１９が後述する係止ロッド１に係止される位置である。また、図１１（ｂ）の「解錠角度位置」とは、係止突部１９ａがほぼ上記係止部１ｃの挿入方向（矢印Ａ方向）に突出する位置である。
【００２２】
なお、図８（ａ）に示すように第２ロータ３５が回転不能な状態にある場合、回転部材２３は、図１１（ａ）に示す回転位置にある。つまり、一方の規制面Ｆ１が係止部１ｃの挿入方向（矢印Ａ方向）に対して垂直であり、他方の規制面Ｆ２が上記挿入方向に対して水平となっている。一方、上述のように解錠操作を行い、第２ロータ３５を図９において右回りに９０゜回転させた場合、回転部材２３が、図１２に示すような回転位置（即ち、規制孔２３ｅの規制面Ｆ１が、係止部１ｃの挿入方向に対して平行となる位置）に回転移動する。よって、軸部材１９も、その係止突部１９ａが規制面Ｆ１によって押圧されることにより、軸部材１９と一体となって９０゜回転し、上述の「解錠角度位置」まで回転移動する。
【００２３】
次に、被挿入部材２５は、図３〜図５に示すように、係止ロッド１の係止部１ｃが挿入される円形の挿入孔２５ａが形成された部材であり、円筒部１１の内部にピン等によって固定されている。この被挿入部材２５の中央部には、軸部材１９が挿通される規制孔２５ｃが穿設されている。この規制孔２５ｃの断面形状は、上述の回転部材２３の規制孔２３ｅと同じ形状（略扇形）であり、規制孔２３ｅと同様に、軸部材１９の回動角度を上述の「係止角度位置」と「解錠角度位置」との間で規制している。なお、被挿入部材２５は、円筒部１１の内部にて回転しないように固定されているので、常に一方の規制面Ｆ１が、係止部１ｃの挿入方向（矢印Ａ方向）に対して垂直となっている。
【００２４】
そして、被挿入部材２５の右側の端面（回転部材２３に対向する端面）には、軸部材１９を軸回りに付勢するうず巻ばね２７が設けられている。このうず巻ばね２７は、図１３（図８におけるＥ−Ｅ断面図）に示すように、細長い鋼帯を渦状に巻いたばねであり、被挿入部材２５の端面に形成された凹部２５ｅの中に取り付けられている。うず巻ばね２７の内側の端部には、軸部材１９の断面形状に適合する形状に折曲げられた軸部材嵌合部２７ｂが折曲げ形成されており、この軸部材嵌合部２７ｂに軸部材１９が挿通・嵌合されている。これにより、軸部材１９がうず巻ばね２７に保持されることとなる。また、うず巻ばね２７の外側の端部２７ｃは、外側に向けてほぼ直角に折曲げられており、この端部２７ｃが、被挿入部材２５の上部に形成された溝２５ｇに嵌め込まれている。端部２７ａは、被挿入部材２５の溝２５ｇの一方の縁部２５ｈを図中右方向に押圧している。よって、軸部材１９は、うず巻ばね２７によって、回転軸Ｐを中心として常に矢印Ｃ方向に回転するように付勢される。即ち、軸部材１９は、上述の「係止角度位置」（図１１（ａ）の位置）に向けて、常に軸回りに付勢されており、係止突部１９ａが規制孔２３ｅの規制面Ｆ１に押し付けられる。これにより、軸部材１９は「係止角度位置」に保持される。
【００２５】
次に、被挿入部材２９は、図３〜図５に示すように、上述の被挿入部材２５と同様、係止ロッド１の他方の係止部１ｃが挿入される円形の挿入孔２９ａが形成された略円柱状の部材であり、円筒部１１の内部にピン等によって固定されている。この被挿入部材２９には、軸部材１９が挿通される規制孔２９ｃが穿設されている。この規制孔２９ｃの断面形状は、上述の被挿入部材２５の規制孔２５ｃと同じ略扇形である。また、被挿入部材２９の挿入孔２９ａの内面には、上述の回転部材２３と同様に、軸部材１９の係止突部１９ａの端部１９ｅ（図６参照）が嵌入される規制孔２９ｅが形成され、この規制孔２９ｅの奥には、軸部材１９の端部１９ｃが回動自在に嵌合される軸支孔２９ｆが形成されている。規制孔２９ｅの断面形状は、回転部材２３の規制孔２３ｅと同様な略扇形であり、軸部材１９の回動角度を上述の「係止角度位置」と「解錠角度位置」との間で規制している。
【００２６】
次に、係止ロッド１は、図１に示すように、Ｕ字状の形態を有しており、金属製の軸心部１ａの回りが合成樹脂製のカバー１ｂで覆われている。図２および図１４（図３におけるＦ−Ｆ断面図）に示すように、両先端の係止部１ｃは、それぞれ先が側面に対して二股に分かれており、「解錠角度位置」にある軸部材１９を挿入可能な入口溝１ｅと、この入口溝１ｅに連通し、内部で軸部材１９が回転可能な円形の係止孔１ｆが設けられている。入口溝１ｅの横幅は、軸部材１９の厚みＤ（図７参照）よりも大きくされており、従って、「解錠角度位置」にある軸部材１９を入口溝１ｅに挿入することが可能となる。また、係止孔１ｆの内半径は、軸部材１９の回転軸Ｐより係止突部１９ａの角部１９ｆまでの距離とほぼ同じである。よって、図１４のような状態において、係止孔１ｆの内部で、軸部材１９が回転可能となる。
【００２７】
また、図３に示すように、係止ロッド１の両係止部１ｃ，１ｃの近傍には、筒状の封止キャップ７，７がそれぞれ外嵌・固定されている。この封止キャップ７は、軸心部１ａに固定された小径部７ａと、ケース１３の挿入孔１５の周囲に円環状に突設された突出部１３ｂに外嵌される大径部７ｂとからなり、係止部１ｃを錠本体３に挿入・係止して施錠した場合、封止キャップ７の大径部７ｂが突出部１３ｂに外嵌・密着するように構成されている。よって、施錠状態において、挿入孔１５が封止キャップによって密封されるので、挿入孔１５から雨水やほこりが侵入することがなく、錠本体３内部における錆や故障が防止される。
【００２８】
そして、封止キャップ７の大径部７ｂと軸心部１ａとの間の隙間８には、付勢部材としてのコイルばね９が挿入されている。このコイルばね９は、図３に示すように係止部１ｃを錠本体３に挿入・係止して施錠した場合、ケース１３の突出部１３ｂの上端部に当接し、係止部１ｃひいては係止ロッド１を、錠本体３への挿入方向（矢印Ａ方向）とは逆の方向（矢印Ａ´方向）に付勢するものである。
【００２９】
続いて、上記構成を有するシャックル錠Ｓの開錠動作及び施錠動作を説明する。
まず、図３に示す施錠状態においては、係止ロッド１の係止部１ｃ，１ｃが錠本体３の挿入孔１５，１５に挿入されており、軸部材１９が、係止部１ｃ，１ｃの係止孔１ｆ，１ｆに係止している。即ち、図１４に示すように、軸部材１９の係止突部１９ａが「係止角度位置」にあり、軸部材１９の係止突部１９ａが、係止孔１ｆの内面に当接・係止している。よって、錠本体３より係止ロッド１を矢印Ａ´方向に引き抜くことができない。なお、この状態において、係止ロッド１は、上述のコイルばね９によって矢印Ａ´方向に付勢されている。
【００３０】
次に、上述のような施錠状態より係止ロッド１を引き抜いて開錠する場合は、図８（ｂ）に示すように、鍵１７の円筒部１７ａをシリンダ部２１の鍵穴４６に差込み、鍵１７を図９において右回り（矢印Ｄ方向）に９０゜回す。すると、上述のように、シリンダ部２１の第２ロータ３５と回転部材２３とが一体となって９０゜回転するので、回転部材２３は、図１１（ａ）に示す位置から、図１２に示す位置まで９０゜回転移動する。従って、軸部材１９が、回転部材２３の規制面Ｆ１によって、うず巻ばね２７の付勢力に抗して押圧されるので、回転部材２３と共に９０゜回転して「解錠角度位置」まで移動する。よって、図１５に示すように、軸部材１９と係止孔１ｆとの係止が外れ、係止部１ｃを錠本体３から矢印Ａ´方向に引き抜いて開錠することができる。この際、係止ロッド１はコイルばね９によって矢印Ａ´方向に付勢されているので、係止部１ｃひいては係止ロッド１が錠本体３から外れる方向（矢印Ａ´方向）に付勢されて飛び出すこととなる。
【００３１】
なお、図８（ｂ）の状態より鍵１７を９０゜回して解錠した場合、鍵１７の円筒部１７ａの外側突起１７ｃがロータケース３１に引掛かるので、鍵１７をシリンダ部２１から抜くことができないが、鍵１７を再び９０゜逆回転させて元の位置に戻せば、鍵１７をシリンダ部２１から引き抜いて、シャックル錠Ｓと別に持ち運ぶことができる。そして、このように鍵１７を引き抜いた場合、回転部材２３が図１１（ａ）に示すような回転位置に復帰するので、軸部材１９も、うず巻ばね２７の付勢力によって「解錠角度位置」から「係止角度位置」に回転復帰する。よって、図１６に示すように、係止ロッド１を錠本体３から引き抜いた状態において、軸部材１９を「係止角度位置」に復帰させることができる。
【００３２】
そして、図１６に示すような状態より再び施錠を行う場合は次のようにする。即ち、鍵１７による操作を何ら行うことなく、係止ロッド１の係止部１ｃを、錠本体３の挿入孔１５にそのまま差し込む。すると、図１６に２点鎖線で示すように、「係止角度位置」にある軸部材１９の係止突部１９ａが、係止部１ｃの入口溝１ｅの縁部１ｊによって押圧される。これにより、図１７に示すように、軸部材１９が「解錠角度位置」に回転し、軸部材１９が入口溝１ｅに挿入される。そして、更に係止部１ｃを錠本体３内に挿入すると、軸部材１９が係止孔１ｆに達し、図１４に示すように、うず巻ばね２７の付勢力によって、軸部材１９が「係止角度位置」に回転復帰する。よって、再び係止孔１ｆの内面に係止突部１９ａを当接・係止させて、施錠を行うことができる。
【００３３】
このように、本実施例のシャックル錠Ｓにおいては、施錠の際には、錠本体３の挿入孔１５に係止部１ｃを差し込むだけで施錠を行うことが可能であり、鍵１７を用いることなく、ワンタッチで迅速簡便に施錠を行うことができるという顕著な効果がある。
【００３４】
しかも、本実施例においては、係止ロッド１の係止部１ｃと、錠本体３内部に回転可能に軸支された軸部材１９とを係止させて施錠を行っている。よって、盗難などの目的で錠本体３に一方向から大きな衝撃を加えたとしても、軸部材１９がうず巻ばね２７の付勢力に抗して「解錠角度位置」に回転移動することがない。従って、係止を解除して係止ロッド１を錠本体３より引き抜くことができず、盗難防止に優れた効果を発揮する。
【００３５】
また、本実施例においては、係止ロッド１の係止部１ｃの近傍に、コイルばね９が設けられており、このコイルばね９は、係止部１ｃを錠本体３に挿入・係止した場合に、錠本体３の突出部１３ｂに当接し、係止部１ｃを錠本体３への挿入方向とは逆方向（矢印Ａ´方向）に付勢している。よって、図４に示すように、軸部材１９を係止解除位置に回転移動させて解錠を行った場合、係止部１ｃひいては係止ロッド１が錠本体３から外れる方向に付勢されて飛び出すので、解錠操作を容易に行うことができるという効果がある。
【００３６】
次に、第２実施例のシャックル錠を、図１８〜図２５に基づいて説明する。ここで、図１８は、施錠状態におけるシャックル錠Ｓ´の縦断面図であり、図１９は、解錠状態におけるシャックル錠Ｓ´の縦断面図である。また、図２０は、図１９におけるＧ−Ｇ断面図である。
【００３７】
なお、第２実施例のシャックル錠Ｓ´において、第１実施例のシャックル錠Ｓと同様な部分については、第１実施例に付した符号に「´」（ダッシュ）を加えた符号を付し、特に変わった部分以外は詳細な説明を省略する。
第２実施例のシャックル錠Ｓ´は、軸部材５０の形状が第１実施例と異なっている点と、錠本体３´の被挿入部材２５´，２９´の挿入孔２５ａ´，２９ａ´の中に、移動係止部材５１，５１およびこれを付勢するコイルばね（第２の付勢部材）５３，５３が設けられている点に特徴がある。
【００３８】
軸部材５０は、図２１の斜視図および図２２（図１８におけるＨ−Ｈ断面図）に示すように、断面略長方形の棒材であり、その端部５０ｂ，５０ｃは、第１実施例と異なり、円柱状に形成されていない。端部５０ｂ，５０ｃは、それぞれ回転部材２３´および被挿入部材２９´に設けられた軸支孔５５，５７に回動可能に嵌入されている。軸支孔５５，５７は、断面円形の孔であり、その内径は、軸部材１９´の長方形の端面５０ｄの対角線の長さＬ（図２１参照）とほぼ等しくされている。これにより、軸部材１９´は、錠本体３´の内部に軸支され、図２１および図２２に示す仮想の中心軸Ｐ´（軸部材５０の中心を通る軸）を中心として回動可能となる。そして、図２２に示すように、中心軸Ｐ´を挟んで対向する２つの短辺５０ｅ，５０ｅの近傍の部分が、係止突部５０ｆ，５０ｆとしての役割を果たす（即ち第１実施例の係止突部１９ａと同様な作用を果たす）こととなる。
【００３９】
また、図２２に示すように、軸支孔５５の内側には、軸部材５０の回動角度を規制する断面略直角三角形状の規制凸部６１，６３が突設されており、これにより、軸部材５０の回動角度は、図２２（ａ）に実線で示す位置（「係止角度位置」）と、２点鎖線で示す位置（「解錠角度位置」）との間で規制されている。
【００４０】
ここで、「係止角度位置」とは、軸部材５０の係止突部５０ｆ，５０ｆが、錠本体３´に挿入する方向（矢印Ａ方向）に対してほぼ直交する方向に突出する位置（短辺５０ｅが係止部１ｃ´の挿入方向に平行となる位置）であり、軸部材５０が後述する係止ロッド１´に係止される位置である。また、「解錠角度位置」とは、係止突部５０ｆ，５０ｆが、ほぼ係止部１ｃ´の挿入方向（矢印Ａ方向）またはこの挿入方向とは逆方向に突出する位置（短辺５０ｅが係止部１ｃ´の挿入方向に直交する位置）である。
【００４１】
また、上記第１実施例と同様に解錠操作を行い、第２ロータ３５´を図１８の状態より９０゜回転させた場合、回転部材２３´は、図２２（ａ）の状態より矢印Ｄ方向に９０゜回転し、図２２（ｂ）に示すような位置に移動する。よって、軸部材５０も、規制凸部６１，６３によって押圧されて、上述の「解錠角度位置」まで回転移動させられることとなる。
【００４２】
なお、軸部材５０の短辺５０ｅの長さＬ´（図２１参照）は、第１実施例と同様に、係止部１ｃ´の入口溝１ｅ´の横幅よりも小さくされており、従って、「解錠角度位置」にある軸部材５０を入口溝１ｅ´に挿入することが可能となる。また、係止孔１ｆ´の内半径は、軸部材５０の対角線の長さＬ（図２１参照）よりも若干大きくされており、これにより、係止孔１ｆ´の内部で軸部材５０が回転可能となる。
【００４３】
次に、移動係止部材５１は、図２３（（ａ）はその正面図、（ｂ）は左側面図、（ｃ）は平面図である）に示すように、平面視略円形の押圧部５１ａと、上側に開放された略コの字状の係止保持部５１ｂ，５１ｂとを備えるものである。なお、移動係止部材５１は金属板を折曲加工して形成されている。
【００４４】
押圧部５１ａは、図２３（ｂ）に示すように、係止部１ｃ´の先端部の形状に応じて、上側に向けて凹となるように円弧状に湾曲している。また、図２３（ｃ）に示すように、押圧部５１ａの外径Ｍは、係止部１ｃ´の先端部によって確実に押圧されるように、係止ロッド１´の係止部１ｃ´の外径とほぼ等しい大きさとされている。
【００４５】
両係止保持部５１ｂ，５１ｂは、押圧部５１ａの中心点を挟んで対称な位置に設けられており、挿入孔２５ａ´，２９ａ´の内側に設けられた溝６５（図１８，１９参照）に対して、図中上下に移動可能となるように嵌め込まれている。これにより、移動係止部材５１は、係止部１ｃ´の挿入方向に沿った方向（すなわち図１８における矢印ＡまたはＡ´方向）に移動可能となっている。また、係止保持部５１ｂの垂直方向に延びる１対の壁部５１ｄ，５１ｄの間の間隔ｄは、軸部材５０の短辺５０ｅの長さＬ´（図２１参照）とほぼ同じとされており、これによって、係止保持部５１ｂの内側に軸部材５０を短辺５０ｅ側から挿入し、両壁部５１ｄ，５１ｄの間に軸部材５０を挟んで係止させることができる。
【００４６】
次に、コイルばね５３は、図１８等に示すように、移動係止部材５１の押圧部５１ａの底面と円筒部１１´との間に設けられており、移動係止部材５１を常に係止部１ｃ´の挿入方向とは逆方向（矢印Ａ´方向）に付勢している。
続いて、上記構成を有するシャックル錠Ｓ´の開錠動作及び施錠動作を説明する。
【００４７】
まず、図１８に示す施錠状態においては、係止ロッド１´の係止部１ｃ´，１ｃ´が錠本体３´の挿入孔１５´，１５´に挿入されており、軸部材５０が、係止部１ｃ´，１ｃ´の係止孔１ｆ´，１ｆ´に係止している。即ち、図２４（図１８におけるＩ−Ｉ断面図）に示すように、軸部材５０（実線で示す）が「係止角度位置」にあり、この軸部材５０の係止突部５０ｆが、係止孔１ｆ´の内面に当接・係止している。よって、錠本体３´より係止ロッド１´を矢印Ａ´方向に引き抜くことができない。また、この状態において、移動係止部材５１の押圧部５１ａは、係止ロッド１´の係止部１ｃ´の先端部によって押圧されており、軸部材５０に対して係止不能な位置に押し下げられている。
【００４８】
次に、上述のような施錠状態より係止ロッド１´を引き抜いて開錠する場合は、第１実施例の場合と同様に、鍵１７´の円筒部をシリンダ部２１´の鍵穴４６´に差込み、鍵１７´を図２４において右回り（矢印Ｄ方向）に９０゜回す。すると、回転部材２３´は、図２２（ａ）に示す位置から、図２２（ｂ）に示す位置まで９０゜回転移動するので、図２４に２点鎖線で示すように、軸部材５０が「解錠角度位置」に移動する。よって、軸部材５０と係止孔１ｆ´との係止が外れる。
【００４９】
そして、図２５に示すように、係止ロッド１´の係止部１ｃ´を引き抜いて開錠すると、係止部１ｃ´の先端部によって押圧されていた移動係止部材５１が、コイルばね５３によって付勢されて、係止部１ｃ´の挿入方向とは逆方向（矢印Ａ´方向）に移動する。これにより、係止保持部５１ｂの内側に、軸部材５０が短辺５０ｅ側から挿入されて、軸部材５０が壁部５１ｄ，５１ｄの間に挟まれる。即ち、移動係止部材５１の係止保持部５１ｂが、「解錠角度位置」にある軸部材５０に係止することとなる。
【００５０】
なお、上述の解錠操作の際に、係止ロッド１´の係止部１ｃ´は、移動係止部材５１によって矢印Ａ´方向に付勢されているので、係止部１ｃ´ひいては係止ロッド１´が錠本体３´から外れる方向（矢印Ａ´方向）に付勢されて飛び出すこととなる。
【００５１】
また、図１８の状態より鍵１７´を９０゜回して解錠した場合、第１実施例と同様に、鍵１７´の円筒部の外側突起がロータケース３１´に引掛かるので、鍵１７´をシリンダ部２１´から抜くことができないが、鍵１７´を再び９０゜逆回転させて元の位置に戻せば、鍵１７´をシリンダ部２１´から引き抜いて、シャックル錠Ｓ´と別に持ち運ぶことができる。そして、このように鍵１７´を引き抜いた場合、回転部材２３´は図２２（ａ）に示す回転位置に復帰するが、移動係止部材５１の係止保持部５１ｂが軸部材５０に係止しているので、軸部材５０は、図２５に示すように「解錠角度位置」に保持されることとなる。
【００５２】
そして、図２５に示すような状態より再び施錠を行う場合は次のようにする。即ち、鍵１７´による操作を何ら行うことなく、係止ロッド１´の係止部１ｃ´を、錠本体３´の挿入孔１５´にそのまま差し込み、移動係止部材５１によって「解錠角度位置」に保持されている軸部材５０を、係止部１ｃ´の入口溝１ｅ´に挿入する。すると、係止部１ｃ´によって移動係止部材５１の押圧部５１ａが押圧されて、挿入方向（矢印Ａ方向）に移動させられるので、係止保持部５１ｂと軸部材５０との係止が解除される。そして、軸部材５０が係止孔１ｆ´の内部に達すると、渦巻ばね２７´の付勢力によって軸部材５０が「係止角度位置」に回転復帰するので、係止孔１ｆ´の内面に軸部材５０の係止突部５０ｆ，５０ｆを当接・係止させて、施錠を行うことができる。
【００５３】
このように、第２実施例のシャックル錠Ｓ´においても、施錠の際には、錠本体３´の挿入孔１５´に係止部１ｃ´を差し込むだけで施錠を行うことが可能であり、鍵１７´を用いることなく、ワンタッチで迅速簡便に施錠を行うことができるという顕著な効果がある。
【００５４】
また、第２実施例においては、移動係止部材５１およびコイルばね５３を設けることにより、係止ロッド１´を錠本体３から外れる方向（矢印Ａ´方向）に付勢しているので、軸部材５０を「係止解除位置」に回転移動させて解錠を行った場合、係止部１ｃひいては係止ロッド１が錠本体３から外れる方向に付勢されて飛び出す。よって、解錠操作を容易に行うことができるという効果がある。また、図２４の施錠状態において、コイルばね５３が、係止部１ｃをその挿入方向とは逆方向（矢印Ａ´方向）に付勢しているので、係止部１ｃが軸部材５０に押し付けられる。従って、錠本体３´に挿入されている係止ロッド１´ががたつくことがなく、施錠を確実に行うことができるという利点がある。
また、上記第２実施例においては、軸部材５０として断面略長方形の棒材を用い、仮想の中心軸Ｐ´を挟んで位置する２つの係止突部５０ｆ，５０ｆを、係止部１ｃ´の係止孔１ｆ´に当接・係止させているので、１つの係止突部１９ａを当接・係止させている第１実施例に比べて、より確実かつ強固に施錠を行うことができ、盗難防止の効果がより一層高くなる。
【００５５】
なお、第２実施例のシャックル錠Ｓ´において、軸部材５０の代わりに、第１実施例と同様な軸部材１９（図６等参照）を用いることもできる。この場合も、係止突部１９ａを移動係止部材５１の係止保持部５１ｂに係止させることにより、軸部材１９を「解錠角度位置」に保持することが可能である。よって、施錠時には、「解錠角度位置」にある軸部材１９を係止部１ｃ´の入口溝１ｅ´に挿入し、移動係止部材５１を押圧すれば、係止保持部５１ｂと軸部材１９との係止が解除され、軸部材１９が「係止角度位置」に回転復帰するので、係止孔１ｆ´の内面に軸部材１９の係止突部１９ａを当接・係止させて施錠を行うことができる。なお、この場合、「解錠角度位置」にある軸部材１９の係止突部１９ａが、係止部１ｃ´の挿入方向に突出するように構成することもできるし、逆に、係止突部１９ａが係止部１ｃ´の挿入方向とは逆方向に突出するように構成することもできる。
【００５６】
また、移動係止部材５１の係止保持部５１ｂ，５１ｂの形状は、軸部材５０に係止して軸部材５０を解錠角度位置に保持可能なものであれば、上記第２実施例のような上側に開放された略コの字状ものに限らず、様々な形状のものを採用することができる。
【００５７】
以上実施例について説明したが、本発明は上記実施例に限定されるものではなく、種々の態様で実施し得る。
例えば、本発明にて用いられる係止体としては、Ｕ字状の係止ロッドに限らず、例えば屈曲可能なワイヤー等を用いてもよい。
【００５８】
また、上記第１および第２実施例においては、係止突部を軸部材のほぼ全長にわたって設けているが、この係止突部を、係止部が係止される部分のみに設けることとしてもよい。
【００５９】
【発明の効果】
以上のように、請求項１の発明の施錠装置においては、施錠時には、係止体の係止部の挿入動作によって、軸部材を解錠角度位置に回転させて係止部の入口溝に挿入し、更に、付勢部材の付勢力によって、係止孔内に達した軸部材を係止角度位置に回転復帰させ、係止孔の内面に軸部材の係止突部を当接・係止させて施錠を行う。よって、錠本体の挿入孔に係止部を差し込むだけで施錠を行うことが可能であり、鍵を用いることなく、ワンタッチで迅速簡便に施錠を行うことができるという顕著な効果を奏する。
【００６０】
また、請求項２の施錠装置においては、施錠時には、係止体の係止部の挿入動作によって、解錠角度位置に保持されている軸部材を係止部の入口溝に挿入し、係止部によって移動係止部材の押圧部を押圧移動させて、係止保持部と軸部材との係止を解除する。そして、付勢部材の付勢力によって、係止孔内に達した軸部材を係止角度位置に回転復帰させ、係止孔の内面に係止突部を当接・係止させて施錠を行う。よって、請求項１の発明と同様に、係止体の係止部を錠本体の挿入孔に挿入するだけで施錠を行うことができ、鍵を用いることなくワンタッチで施錠を行うことができるという顕著な効果を奏する。また、特に請求項２の発明では、施錠状態において、移動係止部材および第２の付勢部材によって、係止部が錠本体から外れる方向に付勢される。従って、解錠操作を行った場合、係止部ひいては係止ロッドが錠本体から外れる方向に付勢されて飛び出すので、解錠操作を容易に行うことができるという効果がある。また、施錠状態においては、移動係止部材および第２の付勢部材によって、係止部が軸部材に対して押し付けられることとなるので、錠本体に挿入されている係止ロッドががたつくことがなく、施錠を確実に行うことができるという効果がある。
【００６１】
また、請求項３の発明においては、略Ｕ字状の係止ロッドの両端に設けられた２つの係止部を錠本体に係止させてループ体を形成することにより、施錠を行うことが可能となる。
更に、請求項４の発明においては、係止体の係止部の近傍に、係止部を錠本体への挿入方向とは逆方向に付勢する付勢部材が設けられている。よって、軸部材を係止解除位置に回転移動させて解錠を行った場合、係止体が錠本体から外れる方向に付勢されて飛び出すので、解錠操作を容易に行うことができるという効果がある。
【図面の簡単な説明】
【図１】第１実施例のシャックル錠を示す斜視図である。
【図２】第１実施例の係止ロッドの構成を示す説明図であり、（ａ）はその正面図、（ｂ）はその右側面図、（ｃ）はその平面図である。
【図３】施錠状態における第１実施例のシャックル錠の縦断面図である。
【図４】解錠状態における第１実施例のシャックル錠の縦断面図である。
【図５】図３におけるＢ−Ｂ断面図である。
【図６】第１実施例の軸部材を示す斜視図である。
【図７】第１実施例の軸部材のＣ−Ｃ断面図である。
【図８】第１実施例の錠本体のシリンダ部を示す拡大縦断面図であり、（ａ）はシリンダ部より鍵を抜いた状態を示す断面図であり、（ｂ）はシリンダ部に鍵を挿入した状態を示す断面図である。
【図９】第１実施例の錠本体の右側面図である。
【図１０】第１実施例の回転部材の構成を示す説明図であり、（ａ）はその斜視図であり、（ｂ）は左側面図であり、（ｃ）はＦ−Ｆ断面図である
【図１１】図８におけるＤ−Ｄ断面図であり、（ａ）は軸部材が係止角度位置にある状態を示し、（ｂ）は軸部材が解錠角度位置にある状態を示す。
【図１２】第１実施例の回転部材の動作を示す断面図である。
【図１３】図８におけるＥ−Ｅ断面図である。
【図１４】第１実施例のシャックル錠の動作を示す断面図である。
【図１５】第１実施例のシャックル錠の動作を示す断面図である。
【図１６】第１実施例のシャックル錠の動作を示す断面図である。
【図１７】第１実施例のシャックル錠の動作を示す断面図である。
【図１８】施錠状態における第２実施例のシャックル錠の縦断面図である。
【図１９】解錠状態における第２実施例のシャックル錠の縦断面図である。
【図２０】図１９におけるＧ−Ｇ断面図である。
【図２１】第２実施例の軸部材を示す斜視図である。
【図２２】第２実施例の回転部材および軸部材の構成および動作を示す断面図である。
【図２３】第２実施例の移動係止部材の構成を示す説明図であり、（ａ）はその正面図であり、（ｂ）は左側面図であり、（ｃ）は平面図である
【図２４】第２実施例のシャックル錠の動作を示す断面図である。
【図２５】第２実施例のシャックル錠の動作を示す断面図である。
【図２６】従来技術の施錠装置を示す説明図である。
【符号の説明】
Ｓ，Ｓ´・・・シャックル錠            １，１´・・・係止ロッド
３，３´・・・錠本体                  ３ｃ，３ｃ´・・・係止部
１ｅ，１ｅ´・・・入口溝              １ｆ，１ｆ´・・・係止孔
９，９´・・・コイルばね              １７，１７´・・・鍵
１９，５０・・・軸部材                １９ａ，５０ｆ・・・係止突部
２１，２１´・・・シリンダ部          ２３，２３´・・・回転部材
２７，２７´・・・うず巻ばね          ５１・・・移動係止部材
５１ａ・・・押圧部                    ５１ｂ・・係止保持部
５３・・・コイルばね（第２の付勢部材）
【図１】
0003554370.tif 000002
【図２】
0003554370.tif 000003
【図３】
0003554370.tif 000004
【図４】
0003554370.tif 000005
【図５】
0003554370.tif 000006
【図６】
0003554370.tif 000007
【図７】
0003554370.tif 000008
【図８】
0003554370.tif 000009
【図９】
0003554370.tif 000010
【図１０】
0003554370.tif 000011
【図１１】
0003554370.tif 000012
【図１２】
0003554370.tif 000013
【図１３】
0003554370.tif 000014
【図１４】
0003554370.tif 000015
【図１５】
0003554370.tif 000016
【図１６】
0003554370.tif 000017
【図１７】
0003554370.tif 000018
【図１８】
0003554370.tif 000019
【図１９】
0003554370.tif 000020
【図２０】
0003554370.tif 000021
【図２１】
0003554370.tif 000022
【図２２】
0003554370.tif 000023
【図２３】
0003554370.tif 000024
【図２４】
0003554370.tif 000025
【図２５】
0003554370.tif 000026
【図２６】
0003554370.tif 000027